(57)【要約】【課題】排出トレイ上にジョブの識別のために画像シートとともに排出された電子シートの表示内容を，その後の事情により個別に書き換えられるようにしたシート排出装置および画像取扱装置を提供すること。【解決手段】本発明の画像取扱装置１は，排紙トレイ２９０と，電子シート供給部２０１，２０２と，電子シート挿入操作部２２２との他に，電子シートＩＤをジョブＩＤと関連づけて記憶する識別情報記憶部１４５と，電子シートの表示内容を非接触で操作する電子シート表示操作部５０１と，電子シートの表示操作の内容を制御する表示制御部５０６とを有する。表示制御部５０６は，新たに排出される電子シートに関連づけられるジョブ情報を表示させる排出時表示制御と，排出済みの電子シートの関連ジョブについて排出後に発生した事象に基づいて当該電子シートの表示内容を変更させる排出後表示制御とを行う。【選択図】図１
2013245052.tif 000002
【特許請求の範囲】
【請求項１】
画像の形成または読取に供された画像シートが載置される排紙トレイと，
情報の表示および表示内容の外部からの非接触での操作による変更が可能な電子シートを収納する電子シート供給部と，
１つのジョブに属する画像シートの前記排紙トレイへ排出の開始前または終了後に，前記電子シート供給部に収納されている電子シートを前記排紙トレイに排出する電子シート挿入操作部とを有するシート排出装置において，
前記電子シート挿入操作部により前記排紙トレイ上に排出される電子シートについて，その電子シートを識別する電子シート識別情報を，そのジョブを識別するジョブ識別情報と関連づけて記憶する識別情報記憶部と，
前記電子シート挿入操作部により前記排紙トレイ上に排出される電子シートもしくは前記排紙トレイ上に排出済みの電子シートの表示内容を非接触で操作する電子シート表示操作部と，
前記電子シート表示操作部による電子シートの表示操作の内容を制御する表示制御部とを有し，
前記表示制御部は，
前記排紙トレイ上に新たに排出される電子シートに，当該電子シートに前記識別情報記憶部により関連づけられるジョブに付随するジョブ情報を表示させる排出時表示制御と，
前記排紙トレイ上に排出済みの電子シートに対して前記識別情報記憶部により関連づけられるジョブについて当該電子シートの排出後に発生した事象に基づいて，前記排紙トレイ上の電子シートのうち，前記事象が発生したジョブに前記識別情報記憶部により関連づけられる電子シートの表示内容を変更させる排出後表示制御とを行うものであることを特徴とするシート排出装置。
【請求項２】
請求項１に記載のシート排出装置において，
前記表示制御部により電子シートに表示される情報のサンプルをあらかじめ記憶したコメント作成テーブル部を有し，
前記コメント作成テーブル部に記憶されたサンプルとして，ジョブの実行が不全であった旨を示す不全表示コメントが含まれており，
前記表示制御部は，ジョブの実行に不全が発生すると，前記排出時表示制御または前記排出後表示制御にて，前記コメント作成テーブル部から前記不全表示コメントを選択して，当該ジョブに前記識別情報記憶部により関連づけられる電子シートに表示させるものであることを特徴とするシート排出装置。
【請求項３】
請求項２に記載のシート排出装置において，
前記コメント作成テーブル部に記憶されたサンプルとして，不全により中断されたジョブの残部である残部ジョブが後に実行された旨を示す残部履行表示コメントが含まれており，
前記表示制御部は，残部ジョブが後に実行されると，前記排出後表示制御にて，前記コメント作成テーブル部から前記残部履行表示コメントを選択して，当該中断されたジョブに前記識別情報記憶部により関連づけられる電子シートに表示させるものであることを特徴とするシート排出装置。
【請求項４】
請求項１に記載のシート排出装置において，
前記表示制御部により電子シートに表示される情報のサンプルをあらかじめ記憶したコメント作成テーブル部を有し，
前記コメント作成テーブル部に記憶されたサンプルとして，画像シートが前記排紙トレイに排出されたまま長時間経過している旨を示す放置警告コメントが含まれており，
前記表示制御部は，ジョブの実行終了後も前記排紙トレイ上に放置されている電子シートがある場合に，前記排出後表示制御にて，前記コメント作成テーブル部から前記放置警告コメントを選択して，当該電子シートに表示させるものであることを特徴とするシート排出装置。
【請求項５】
請求項４に記載のシート排出装置において，
前記表示制御部は，前記排出後表示制御にて，前記放置警告コメントを当該電子シートに表示させるに際し，当該ジョブの実行が終了してから現在までの経過時間の長短を指標する値を付加して表示させるものであることを特徴とするシート排出装置。
【請求項６】
請求項４または請求項５に記載のシート排出装置において，前記表示制御部は，前記排出後表示制御にて，
当該ジョブの実行が終了してから現在までの経過時間があらかじめ定めた基準時間を超えると，前記放置警告コメントの当該電子シート上での表示態様を，より目立たない態様からより目立つ態様に変化させるものであることを特徴とするシート排出装置。
【請求項７】
請求項１に記載のシート排出装置において，
前記表示制御部により電子シートに表示される情報のサンプルをあらかじめ記憶したコメント作成テーブル部を有し，
前記コメント作成テーブル部に記憶されたサンプルとして，前記排紙トレイに排出された画像シートの閲覧者情報を示す閲覧者表示コメントが含まれており，
前記表示制御部は，前記排出時表示制御または前記排出後表示制御にて，ジョブの指示者による入力に基づいて，前記コメント作成テーブル部から前記閲覧者表示コメントを選択して，当該ジョブに前記識別情報記憶部により関連づけられる電子シートに表示させるものであることを特徴とするシート排出装置。
【請求項８】
請求項７に記載のシート排出装置において，
電子シートとして，前記排紙トレイから回収された後も表示内容を維持する電子ペーパー表示部を有するものを用い，
前記表示制御部は，前記排出時表示制御または前記排出後表示制御にて，前記閲覧者表示コメントを，電子シートの前記電子ペーパー表示部に表示させるものであることを特徴とするシート排出装置。
【請求項９】
請求項１から請求項８までのいずれか１つに記載のシート排出装置において，
ジョブを指示した指示者によるログインを受け付けるログイン受け付け部を有し，
電子シートとして，非表示時には透明であり表示時には発光状態となる透明表示部を端部に有するものを用い，
前記表示制御部は，ジョブを指示した指示者によるログインが前記ログイン受け付け部で受け付けられると，前記排出後表示制御にて，ログイン者の指示したジョブに前記識別情報記憶部により関連づけられる電子シートの透明表示部を発光状態とするものであることを特徴とするシート排出装置。
【請求項１０】
シートに画像を形成しまたはシートの画像を読み取るシート取扱い部と，
請求項１から請求項９までのいずれか１つに記載のシート排出装置とを有することを特徴とする画像取扱装置。
【発明の詳細な説明】
【技術分野】
【０００１】
本発明は，画像形成装置での画像形成または画像読取装置での画像読み取りに供されたシートを排出するシート排出装置，および，そのシート排出装置を備えた画像取扱装置（印刷用紙等への画像の形成と，画像を有するシートについての画像の読み取りとの少なくとも一方を行う装置をいうものとする）に関する。さらに詳細には，画像取扱後のシートについてのジョブの識別のために電子シートを画像取扱後のシートとともに排出するようにした画像形成装置に関するものである。
【背景技術】
【０００２】
画像形成装置では通常，画像形成を行った画像担持シートすなわち印刷物を，排紙トレ
イ上に排出する。画像読取装置でも，画像読取後の原稿を原稿排出トレイ上に排出する。以下，代表して画像形成装置の場合について述べる。画像形成装置で多数枚の画像形成を連続的に行うと，排紙トレイ上に多数枚の印刷物が積み重なった状態となる。そこで，一の印刷指示（以下，印刷ジョブという）に基づく印刷物を識別するため，異なる印刷ジョブの印刷物の間に，印刷物とは別の目印用シートを挿入するようにしているものがある。さらには，この目印用シートとして，情報の表示が可能なものを用いることが提案されている。
【０００３】
例えば特許文献１の画像形成装置では，上記の目印用シートに相当するものとして，「電子ペーパ」を用いている。特許文献１の「電子ペーパ」は，例えば液晶等の薄型ディスプレイで構成され，電気的に情報の表示や書き換えが可能であり，電源を切っても表示内容が維持されるものである（同文献の［００２７］参照）。特許文献１では，排紙トレイ上に排出される印刷用紙との関連情報をこの電子ペーパに表示させるとともに，関連情報を表示した電子ペーパを，排出される印刷用紙間に挟み込むことを開示している。これにより，電子ペーパによって区切られた印刷物がどのようなものか，容易に判断できるとしている。
【先行技術文献】
【特許文献】
【０００４】
【特許文献１】特開２００８−２０７９５１号公報
【発明の概要】
【発明が解決しようとする課題】
【０００５】
しかしながら前記した特許文献１の技術には，次のような問題点があった。すなわち，電子ペーパに表示した内容を，排紙トレイへの排出後に変更することが考慮されていないのである。排出後における表示内容の変更の要請が生じる場合としては例えば，ジャム発生等の何らかの事情により１つの印刷ジョブを分割して印刷した場合が挙げられる。この場合，分割されたジョブの前段部分の印刷物とともに排出される電子ペーパには，印刷ジョブが未完である旨が表示されるべきである。
【０００６】
しかしその後に当該ジョブの残部の印刷がなされた場合には，前述の未完である旨の表示は消去した方がよい。そしてそれに替わって，残部印刷物のあり場所を表示した方がより便利であると考えられる。前段部分の印刷物と残部印刷物との間に別のユーザーの印刷物が入り込むこともありうるからである。あるいは，複数の排紙トレイを備える画像形成装置であれば，前段部分の印刷物と残部印刷物とが別々の排紙トレイに排紙されることもありうるからである。さらには，残部印刷物の印刷が，ＬＡＮ等で繋がった別の画像形成装置で実施されることもありうるからである。
【０００７】
なお，電子ペーパの表示内容の操作を無線で行うようにすることも考えられる。そうすれば，排出後における表示内容の変更自体は可能になると解される。しかしながら，特許文献１の技術をそのように改造してこれを実行しようとすると不具合を生じる。表示内容を変更しようとしている電子ペーパ以外の別の印刷ジョブの電子ペーパまで影響を受けてしまうからである。排紙トレイ上に２枚以上の電子ペーパが存在していることもありうるからである。上記のような問題は，画像読取装置における原稿排出トレイにおいても起こりうる。
【０００８】
本発明は，前記した従来の画像形成装置が有する問題点を解決するためになされたものである。すなわちその課題とするところは，電子シートをジョブの識別のために画像シートとともに排出トレイに排出するようにしたシート排出装置および画像取扱装置において，排出トレイ上の排出済みの電子シートの表示内容を，その後の事情により個別に書き換えられるようにしたシート排出装置および画像取扱装置を提供することにある。
【課題を解決するための手段】
【０００９】
この課題の解決を目的としてなされた本発明のシート排出装置は，画像の形成または読取に供された画像シートが載置される排紙トレイと，情報の表示および表示内容の外部からの非接触での操作による変更が可能な電子シートを収納する電子シート供給部と，１つのジョブに属する画像シートの排紙トレイへ排出の開始前または終了後に，電子シート供
給部に収納されている電子シートを排紙トレイに排出する電子シート挿入操作部とを有している。本発明のシート排出装置はさらに，電子シート挿入操作部により排紙トレイ上に排出される電子シートについて，その電子シートを識別する電子シート識別情報を，そのジョブを識別するジョブ識別情報と関連づけて記憶する識別情報記憶部と，排紙トレイ上
に排出済みの電子シートもしくは電子シート挿入操作部により排紙トレイ上に排出される電子シートの表示内容を非接触で操作する電子シート表示操作部と，電子シート表示操作部による電子シートの表示操作の内容を制御する表示制御部とを有している。ここで，表示制御部は，排出時表示制御と排出後表示制御とを行うものである。排出時表示制御では，排紙トレイ上に新たに排出される電子シートに，当該電子シートに識別情報記憶部により関連づけられるジョブに付随するジョブ情報を表示させる。排出後表示制御では，排紙トレイ上に排出済みの電子シートに対して識別情報記憶部により関連づけられるジョブについて当該電子シートの排出後に発生した事象に基づいて，排紙トレイ上の電子シートのうち，事象が発生したジョブに識別情報記憶部により関連づけられる電子シートの表示内容を変更させる。
【００１０】
このシート排出装置は，ジョブごとに画像シートとともに電子シートが排紙トレイ上に排出される。その電子シートの識別情報は，ジョブの識別情報と関連づけられて記憶されている。そして，排紙トレイ上に排出される電子シートには，当該電子シートに関連づけられるジョブに付随するジョブ情報が表示される。さらに排出後にもその表示内容が必要に応じて変更される。その際，変更の必要が発生したジョブに関連づけられる電子シートの表示内容のみが変更される。このため電子シートは排紙トレイ上に，ジョブ指示者に有用な情報が表示された状態で存在するので，利便性が高い。
【００１１】
本発明のシート排出装置はさらに，表示制御部により電子シートに表示される情報のサンプルをあらかじめ記憶したコメント作成テーブル部を有し，コメント作成テーブル部に記憶されたサンプルとして，ジョブの実行が不全であった旨を示す不全表示コメントが含まれており，表示制御部は，ジョブの実行に不全が発生すると，排出時表示制御または排出後表示制御にて，コメント作成テーブル部から不全表示コメントを選択して，当該ジョブに識別情報記憶部により関連づけられる電子シートに表示させるものであることが好ましい。これによりそのジョブの指示者は，画像シートを回収する際に電子シートを見ることで，ジョブの実行が不全であった旨を知ることができる。
【００１２】
この場合にさらに，コメント作成テーブル部に記憶されたサンプルとして，不全により中断されたジョブの残部である残部ジョブが後に実行された旨を示す残部履行表示コメントが含まれており，表示制御部は，残部ジョブが後に実行されると，排出後表示制御にて，コメント作成テーブル部から残部履行表示コメントを選択して，当該中断されたジョブに識別情報記憶部により関連づけられる電子シートに表示させるものであることが好ましい。これによりジョブの指示者は，ジョブの実行が中断された旨のみならず，残部が別途実行されたことをも知ることができる。
【００１３】
本発明のシート排出装置はあるいは，コメント作成テーブル部を有するとともに，コメント作成テーブル部に記憶されたサンプルとして，画像シートが排紙トレイに排出されたまま長時間経過している旨を示す放置警告コメントが含まれており，表示制御部は，ジョブの実行終了後も排紙トレイ上に放置されている電子シートがある場合に，排出後表示制御にて，コメント作成テーブル部から放置警告コメントを選択して，当該電子シートに表示させるものであることが好ましい。このようにすると，シート排出装置の周囲にいるユーザーに，長時間放置されている画像シートが排紙トレイ上に存在していることを認識させることができる。
【００１４】
その場合に，表示制御部は，排出後表示制御にて，放置警告コメントを当該電子シートに表示させるに際し，当該ジョブの実行が終了してから現在までの経過時間の長短を指標する値を付加して表示させるものであることが好ましい。あるいは，当該ジョブの実行が終了してから現在までの経過時間があらかじめ定めた基準時間を超えると，放置警告コメントの当該電子シート上での表示態様を，より目立たない態様からより目立つ態様に変化させるものであることもまた好ましい。これらのようにすると，放置時間が長期化している場合にそのことを周囲のユーザーにより強く訴求できる。
【００１５】
本発明のシート排出装置はあるいは，コメント作成テーブル部を有するとともに，コメント作成テーブル部に記憶されたサンプルとして，排紙トレイに排出された画像シートの閲覧者情報を示す閲覧者表示コメントが含まれており，表示制御部は，排出時表示制御または排出後表示制御にて，ジョブの指示者による入力に基づいて，コメント作成テーブル部から閲覧者表示コメントを選択して，当該ジョブに識別情報記憶部により関連づけられる電子シートに表示させるものであることもまた好ましい。これにより，電子シートの利便性が更に向上する。
【００１６】
その場合に，電子シートとして，排紙トレイから回収された後も表示内容を維持する電子ペーパー表示部を有するものを用い，表示制御部は，排出時表示制御または排出後表示制御にて，閲覧者表示コメントを，電子シートの前記電子ペーパー表示部に表示させるものであることが好ましい。これにより，排紙トレイから回収した後も電子シートの表示内容を有効に利用できる。
【００１７】
本発明のシート排出装置はあるいは，ジョブを指示した指示者によるログインを受け付けるログイン受け付け部を有し，電子シートとして，非表示時には透明であり表示時には発光状態となる透明表示部を端部に有するものを用い，表示制御部は，ジョブを指示した指示者によるログインがログイン受け付け部で受け付けられると，排出後表示制御にて，ログイン者の指示したジョブに識別情報記憶部により関連づけられる電子シートの透明表示部を発光状態とするものであることが好ましい。このようにすると，自己の指示したジョブに係る画像シートを回収しようとするユーザーは，排紙トレイ上で，他のジョブの画像シートの中から自己のジョブの画像シートを容易に認識することができる。
【００１８】
なお本発明は，シートに画像を形成しまたはシートの画像を読み取るシート取扱い部と，上記のいずれかの本発明のシート排出装置とを有する画像取扱装置をも対象とする。
【発明の効果】
【００１９】
本発明によれば，電子シートを印刷ジョブの識別のために印刷物とともに排出トレイに排出するようにしたシート排出装置および画像取扱装置であって，排出トレイ上の排出済みの電子シートの表示内容を，その後の事情により個別に書き換えられるようにしたものが提供されている。
【図面の簡単な説明】
【００２０】
【図１】実施の形態に係る画像複写装置を示す概略構成図である。
【図２】実施の形態で使用する電子シートを示す平面図である。
【図３】排紙トレイ上での電子シートと印刷物との位置関係を示す図である。
【図４】電子シートの表示に関する制御系の構成を示すブロック図である。
【図５】電子シートの一表示例を示す図である。
【図６】電子シートの別の表示例を示す図である。
【図７】電子シートのさらに別の表示例を示す図である。
【図８】電子シートの初期表示制御を説明するフローチャートである。
【図９】電子シートの表示更新制御を説明するフローチャートである。
【図１０】電子シートの発光表示制御を説明するフローチャートである。
【発明を実施するための形態】
【００２１】
以下，本発明を具体化した実施の形態について，添付図面を参照しつつ詳細に説明する。本形態は，後処理装置を備えた画像複写装置において，画像形成済みの印刷物，すなわち画像の形成に供された画像シートの排出を受ける排出トレイのところに本発明を適用したものである。
【００２２】
図１に，本形態に係る画像複写装置１の概略構成を示す。画像複写装置１は，本体装置１００と，後処理装置２００とを有している。本体装置１００は，画像読取部１２０とプリンター部１４０とに大別される構成のものである。後処理装置２００は，本体装置
１００から画像形成済みの印刷物を受け入れて，パンチングやステープル打ち，紙折りその他の後加工処理を行う装置である。むろん，画像形成済みの印刷物に対して後加工処理を行わずに単純に排出することもできる。このため後処理装置２００は，排紙トレイ２９０ａ，２９０ｂ，２９０ｃの他，パンチユニット２４０やステープルユニット２６０など各種の後処理ユニットを有している。
【００２３】
まず本体装置１００の画像読取部１２０について述べる。画像読取部１２０は，スキャナー部１２１と，原稿自動搬送部１２２とを有している。原稿自動搬送部１２２は，原稿載置トレイ１２４と原稿排出トレイ１２５とを備えており，原稿載置トレイ１２４に載置された原稿の束から原稿シートを１枚ずつ搬送して原稿排出トレイ１２５に排出するように構成されている。そして，スキャナー部１２１により，原稿自動搬送部１２２での搬送途中の原稿シートの画像を読み取り，画像データを取得するようになっている。
【００２４】
画像読取部１２０にはさらに，操作・表示パネル１２３が設けられている。操作・表示パネル１２３は，公知のテンキーや表示パネル，タッチパネル等により構成されており，ユーザーによる画像複写装置１への動作指示の入力や，画像複写装置１の動作状態のユーザーへの表示を行うものである。
【００２５】
なお，本形態の装置は画像複写装置１と称しているが，スキャナー部１２１で読み取った原稿シートの画像の複写ばかりでなく，外部機器から取得した画像データに基づく印刷処理も可能である。以下，ユーザーによる１つの画像複写指令や外部機器からの１つの画像形成指示に基づく１まとまりの印刷処理を，印刷ジョブという。
【００２６】
続いて本体装置１００のプリンター部１４０について述べる。プリンター部１４０は，給紙カセット１４４と，給紙機構１４１と，画像形成部１４２と，排紙口１４３とを有している。これにより給紙カセット１４４から印刷物が１枚ずつ取り出され，取り出された印刷物は給紙機構１４１により画像形成部１４２に搬送されるようになっている。その印刷物には画像形成部１４２により画像が形成された上で，排紙口１４３から排出されるようになっている。図１中の画像形成部１４２はトナーを用いて画像を形成するものであるが，これに限らず，液状の色材を用いるもの等でもよい。
【００２７】
プリンター部１４０にはさらに，制御部１４５が備えられている。制御部１４５は，画像複写装置１の全体の動作制御や，画像形成部１４２での画像形成のための画像データの処理などを行うものである。制御部１４５での制御対象には，本体装置１００の動作のみならず後処理装置２００の動作も含まれる。なお，後処理装置２００にも制御部を設け，後処理装置２００の動作はそちらの制御部により制御することとしてもかまわない。制御の詳細な内容については後述する。
【００２８】
次に，後処理装置２００について述べる。後処理装置２００には前出の構成要素の他に，第１電子シート給紙トレイ２０１，第２電子シート給紙トレイ２０２，電子シート搬送機構２２２，第１通信部５０１，第２通信部５０２，非接触電力伝送部５０３，第３通信部５０８，受取口２３０，集積部２５０，紙折り処理部２７０，断裁ユニット２８０を有している。また，前出の排紙トレイ２９０ａ，２９０ｂ，２９０ｃのうち，２９０ａは固定排紙トレイであり，２９０ｂは可動排紙トレイであり，２９０ｃは冊子収納トレイである。ただし，固定排紙トレイ２９０ａ，可動排紙トレイ２９０ｂ，冊子収納トレイ２９０ｃを特に区別しない場合にはまとめて単に排紙トレイ２９０と称することがある。以下，後処理装置２００におけるこれらの各構成要素について説明する。
【００２９】
第１電子シート給紙トレイ２０１および第２電子シート給紙トレイ２０２は，電子シートを収容するものである。電子シートは，外形的には紙のようなシート状のものであり，情報の固定的な表示および表示内容の外部からの非接触での操作による変更が可能なものである。その詳細な構成については後述する。
【００３０】
電子シートは，排紙トレイ２９０に排出される印刷物についてのジョブの識別のために，印刷物とともに排紙トレイ２９０に排出されるものである。このため後処理装置２００では，１つのジョブに属する印刷物の排紙トレイ２９０へ排出の開始前または終了後に，電子シートを同じ排紙トレイ２９０に排出するようにしている。第１電子シート給紙トレイ２０１および第２電子シート給紙トレイ２０２に収容されているのはそのための電子シートである。第１電子シート給紙トレイ２０１と第２電子シート給紙トレイ２０２との違いは，収容する電子シートのサイズの違いである。印刷物のサイズに合わせて適切なサイズの電子シートが選択されて排出されるようになっている。
【００３１】
電子シート搬送機構２２２は，第１電子シート給紙トレイ２０１または第２電子シート給紙トレイ２０２から取り出された電子シートを排紙トレイ２９０へ向けて搬送する機構である。プリンター部１４０における給紙機構１４１に相当する機構である。
【００３２】
第１通信部５０１は，各排紙トレイ２９０に設けられている。第１通信部５０１は，排紙トレイ２９０上に排出された電子シートとの非接触通信を行うものである。具体的には，排紙トレイ２９０上へ排出済みの電子シートについて，その表示内容を変更するための通信を行うものである。
【００３３】
第２通信部５０２は，電子シート搬送機構２２２に設けられている。第２通信部５０２は，第１電子シート給紙トレイ２０１または第２電子シート給紙トレイ２０２から取り出された電子シートとの非接触通信を行うものである。具体的には，排紙トレイ２９０へ向かって現に搬送されている電子シートの個体識別情報を確定するための通信を行うものである。
【００３４】
非接触電力伝送部５０３は，第１電子シート給紙トレイ２０１，第２電子シート給紙トレイ２０２，および各排紙トレイ２９０に設けられている。非接触電力伝送部５０３は，各所の電子シートに対してそれぞれ，非接触にて電力を伝送するものである。
【００３５】
第３通信部５０８は，第１電子シート給紙トレイ２０１および第２電子シート給紙トレイ２０２にそれぞれ設けられている。第３通信部５０８は，第１電子シート給紙トレイ２０１および第２電子シート給紙トレイ２０２に収容されている電子シートとの非接触通信を行うものである。具体的には，収容された電子シートに既に表示されている情報の消去のための通信を行うものである。
【００３６】
受取口２３０は，印刷物を後処理装置２００内に受け入れるための箇所である。本形態の画像複写装置１では，本体装置１００の排紙口１４３から排出された印刷物が直ちに受取口２３０に受け入れられるようになっている。なお，電子シート搬送機構２２２で搬送されてきた電子シートはその後，受取口２３０から受け入れられた印刷物の搬送経路に合流して搬送されることとなる。ただし電子シートは，パンチユニット２４０など各種後処理ユニットを素通りし，後加工を受けない。
【００３７】
パンチユニット２４０は，受取口２３０から受け入れた印刷物にパンチ穴開けを施すものである。集積部２５０は，パンチユニット２４０を通過した印刷物を，排紙トレイ２９０に排出する前に一旦集積するための箇所である。パンチユニット２４０を通過した印刷物（パンチ穴開けが施されているとは限らない）のうち，ステープルユニット２６０などでさらに後加工が施されるものである。ステープルユニット２６０は，集積部２５０で集積された印刷物の束にステープル打ちを施して綴じるものである。紙折り処理部２７０は，印刷物に折り目を付けるものである。断裁ユニット２８０は，印刷物を断裁するものである。
【００３８】
固定排紙トレイ２９０ａは，比較的少数枚数のジョブに属する印刷物が排出されるトレイである。固定排紙トレイ２９０ａは，後処理装置２００に対して固定して設けられている。可動排紙トレイ２９０ｂは，比較的多数枚数のジョブに属する印刷物，あるいは，ステープルユニット２６０で綴じられた束状の印刷物が排出されるトレイである。また，紙折り処理部２７０で折り目を付けられた印刷物を含むジョブに属する印刷物も可動排紙トレイ２９０ｂに排出される。固定排紙トレイ２９０ａは，上下方向に可動となっている。冊子収納トレイ２９０ｃは，断裁ユニット２８０で断裁された冊子状の印刷物が排出されるトレイである。
【００３９】
次に，本形態の画像複写装置１で使用される電子シートについて説明する。本形態で使用する電子シート４００は，図２に示すように構成されている。電子シート４００は，全体として長方形状の可撓性のシートである。電子シート４００は，図２中左右方向両端に設けられた透明表示部４０２と，それらの間の基部４０３とを有している。基部４０３には，電子ペーパー表示部４０１が設けられている。
【００４０】
透明表示部４０２は，有機ＥＬディスプレイ素子等の透明発光素子を用いた表示部である。透明表示部４０２は，通常時は透明であり，部分的に発光することにより，その発光領域のパターンで情報を表示できるものである。この透明表示部４０２としては例えば，http://www.tech-jam.com/academy/kennkyuu/04/index.phtml（株式会社テックジャムが運営する研究発表サイト）に紹介されているものを利用することができる。
【００４１】
電子ペーパー表示部４０１は，メモリ性のある表示素子を用いた表示部である。電子ペーパー表示部４０１は，部分的に発色することにより，その発色領域のパターンで情報を表示できるものである。そして，特段の表示消去操作がなされない限り，電源が切られた後もその表示を維持するものである。このような電子ペーパー表示部４０１としては例
えば，
http://www.bridgestone.co.jp/business/dp/ele_paper/aerobee/overview/index.html
（株式会社ブリジストンの製品紹介サイト）に紹介されている電子ペーパーを利用することができる。
【００４２】
電子シート４００は，これらの表示部を有する他に，次のものを基部４０３に内蔵している。すなわち，制御部４５０，通信アンテナ４５１，非接触電力受信部４１０，電源部４０８，シート電池４０９の各デバイスである。これらは，シート内バス４０７により，電子シート４００の内部での必要な接続が取られている。
【００４３】
制御部４５０は，画像複写装置１との通信等，電子シート４００における各種制御を行うものである。その詳細は，画像複写装置１の制御部１４５の詳細とともに後述する。通信アンテナ４５１は，画像複写装置１との間で各種信号の送受信をするためのアンテナである。非接触電力受信部４１０は，画像複写装置１の非接触電力伝送部５０３からの非接触での電力伝送を受電するものである。電源部４０８は，非接触電力受信部４１０で受電した電力を，適宜変圧等の変換を施した上で各部へ供給するものである。シート電池４０９は，電源部４０８で変換された電力の一部を貯蔵するものである。このシート電池４０９としては，http://www.miesc.or.jp/amic/cityarea/news/n100224/index.htm（財団法人三重県産業支援センターの技術紹介サイト）に紹介されているもの等，薄くて可撓性のあるものが適している。
【００４４】
電子シート４００のサイズは，次のように定められている。すなわち，Ａ４サイズ用紙およびＡ３サイズ用紙用の電子シート４００の場合，基部４０３の長手方向，つまり両端の透明表示部４０２と透明表示部４０２とを結ぶ方向のサイズＷ１が，Ａ４サイズ用紙の長辺方向サイズ（Ａ３サイズ用紙の短辺方向サイズ）とほぼ等しくされている。つまり，電子シート４００全体の長手方向サイズＷ２は，Ａ４サイズ用紙の長辺方向サイズより大きい。
【００４５】
これにより図３に示すように，排紙トレイ２９０上に印刷物Ｓとともに排出された状態で，両端の透明表示部４０２のうち少なくとも一方が必ず印刷物Ｓからはみ出すようになっている。電子シート４００の上に印刷物Ｓが積み重ねられた場合でも，ユーザーからの透明表示部４０２の視認性を確保するためである。図３は，電子シート４００とＡ３サイズの印刷物Ｓとが積み重ねられた状況を描いたものである。Ａ４，Ａ３サイズ以外のサイズ用の電子シート４００の場合でも同様の考え方でサイズが設定されている。
【００４６】
続いて，画像複写装置１の制御系を説明する。画像複写装置１の制御系は，本体装置１００の制御部１４５を中心に構成されている。制御部１４５の制御機能には，画像複写装置１の本来動作である画像形成動作自体に関する制御も含まれている。しかしここではこれについての説明を省略し，本発明としての特徴的な動作，すなわち電子シート４００の表示についての制御に絞って説明することとする。
【００４７】
画像複写装置１における電子シート４００の表示操作の制御系は，図４に示すように構成されている。本体装置１００の制御部１４５には，電子シート制御部５００が内蔵されている。電子シート制御部５００は，メモリ５０４，ＣＰＵ５０５の他に，表示情報制御部５０６と印刷ジョブＩＤ割当部５０７とを有している。表示情報制御部５０６は，電子シート４００の透明表示部４０２や電子ペーパー表示部４０１に表示すべき内容を制御するものである。印刷ジョブＩＤ割当部５０７は，印刷ジョブの識別情報と，その印刷ジョブの印刷物とともに排出される電子シート４００の識別情報との関係づけを行うものである。
【００４８】
そして，後処理装置２００中の各所に配置されている前出の第１通信部５０１，第２通信部５０２，非接触電力伝送部５０３，第３通信部５０８はいずれも，電子シート制御部５００に接続されている。
【００４９】
図４には電子シート４００内の制御系も示されている。電子シート４００の制御部４５０は，メモリ４０５，ＣＰＵ４０４の他に，表示コントロール部４１３，第１通信部４０６，第２通信部４１１を有している。表示コントロール部４１３は，透明表示部４０２や電子ペーパー表示部４０１を操作するものである。第１通信部４０６は，後処理装置２００の第１通信部５０１との通信を行うものである。第２通信部４１１は，後処理装置２００の第２通信部５０２および第３通信部５０８との通信を行うものである。これらのいずれの通信も，通信アンテナ４５１を介して行われる。
【００５０】
電子シート４００のメモリ４０５の記憶内容として，後述する電子シートＩＤがある。メモリ４０５における電子シートＩＤの記憶には，書き換え不可方式と書き換え可能方式とがある。書き換え不可方式の場合には，各電子シート４００がそれぞれ固有の電子シートＩＤをあらかじめ持っており，この電子シートＩＤは変更できないものである。書き換え可能方式の場合には，各電子シート４００が固有の電子シートＩＤをもともと持っているのではなく，必要に応じて画像複写装置１から電子シートＩＤが付与されることになる。一旦付与された電子シートＩＤは，画像複写装置１により消去または上書きされるまでは不変である。以下，原則として書き換え不可方式で説明する。
【００５１】
ここで，電子シート制御部５００のメモリ５０４に記憶される内容について説明する。メモリ５０４には，印刷ジョブテーブルと，コメント作成テーブルとが用意されている。
【００５２】
印刷ジョブテーブルは，表１に示すような内容のものである。印刷ジョブテーブルは，画像複写装置１で印刷を受け付けた印刷ジョブに関する種々の情報を記憶するテーブルである。ただし，ジョブ指示者による印刷物の回収が済んだ印刷ジョブは印刷ジョブテーブルから除かれる。印刷ジョブテーブルに記憶される内容は基本的に，電子シート４００の表示内容の制御のために必要な内容である。その中には，電子シート４００に実際に表示される内容と，電子シート４００に表示するわけではないがその表示の制御上必要な内部情報とがある。
【００５３】
【表１】
2013245052.tif 000003
【００５４】
表１中の各欄の意味は，以下の通りである。
ジョブＩＤ：画像複写装置１で受け付けた印刷ジョブを個別に識別するために画像複写装置１にて付与した番号などの情報である。
電子シートＩＤ：電子シート４００を個別に識別するための番号などの情報である。
ジョブ属性：その印刷ジョブの印刷物の用途の属性を示す情報である。
指示者：画像複写装置１に印刷を指示した発注者を識別するための情報である。
ファイル名：その印刷ジョブの印刷対象ファイルの名称である。
印刷日時：その印刷ジョブの印刷の実行が完了した日時である。
当月枚数：その指示者の発注により画像複写装置１で印刷した累積枚数の当月における値である。
ＨＤＤ占有量：その指示者の発注した印刷ジョブの実行のために，現在，画像複写装置１のＨＤＤ（ハードディスクドライブ）に記憶されているファイルの総容量である。
コメント種＋コメントパラメーター：電子シート４００に表示されるコメントの種類の番号（表２参照）とその中に挿入される数値である。
コメント更新：コメント種が，表示後に更新する必要があるものか否かを示す情報である。
ＨＤＤ内ファイル：そのジョブの印刷対象ファイルが現在，画像複写装置１のＨＤＤに記憶されているか否かを示す情報である。
【００５５】
上記のうち，「当月枚数」と「ＨＤＤ占有量」は，同一の指示者の他の印刷ジョブの分をも合わせた値である。それら以外は，当該印刷ジョブのみについての情報である。また，「更新非対象」に属する各項目は，一旦表１に登載されれば削除されるまで更新されることのない項目である。「更新対象」に属する各項目は，表１に登載された後削除されるより前に更新される可能性がある項目である。
【００５６】
また，表１中に「ジョブＩＤ」の欄と「電子シートＩＤ」の欄とが設けられている。これにより，印刷ジョブの識別情報と電子シート４００の識別情報とが関連づけられて記憶されるようになっている。
【００５７】
続いてコメント作成テーブルについて述べる。コメント作成テーブルは，表２に示すような内容のものである。コメント作成テーブルは，電子シート４００に排出時または排出後に表示される情報の一部であるコメントを作成するためのテーブルである。表２の「コメント種」の欄に示されるように，コメント作成テーブルには，コメントのひな形がいくつか用意されている。コメント種によっては，コメント内容中にブランク箇所（「□」のこと）があるものもある。その部分は「コメントパラメーター」の欄の内容によって充当される。
【００５８】
【表２】
2013245052.tif 000004
【００５９】
表２中の各コメント種を，以下のように分類することができる。
Ｎｏ．１〜Ｎｏ．４：印刷ジョブの実行が何らかの不全に終わったことを示す不全表示コメントのコメント種
Ｎｏ．５：不全により中断された印刷ジョブの残部が後に実行された旨を示す残部履行表示コメントのコメント種
Ｎｏ．６：印刷物が排紙トレイ２９０上に排出されてから回収されることなく長時間経過している旨を示す放置警告コメントのコメント種
Ｎｏ．７：排紙トレイ２９０上の印刷物が元のファイルについての最新版でなくなっている旨を示す陳腐化警告コメントのコメント種
Ｎｏ．８：排紙トレイ２９０上の印刷物を閲覧させるべき者を示す閲覧者表示コメントのコメント種
【００６０】
表２中の「更新」の欄は，電子シート４００の出力後にコメント内容の更新がありうるか否かを示す，コメント種の属性を示している。「１」は更新がありうるもの，「０」は更新がないものである。Ｎｏ．１やＮｏ．２のコメントは，その後残部の印刷が実行されてＮｏ．５のコメントに差し替えられることがあるため，これらのコメント種は「１」である。Ｎｏ．６ももちろん「１」である。Ｎｏ．７が「１」である理由は，印刷終了後にＨＤＤ内に最新ファイルがアップロードされたり，あるいはその最新ファイルがＨＤＤから削除されることがありうるからである。Ｎｏ．８は，表２中では「０」とされているが，印刷終了後における回覧メンバーの追加や削除を許容するように構成するのであれば「１」となる。
【００６１】
また，これらのコメント種およびコメントパラメーターは，基本的には図４に示した表示情報制御部５０６により選択されて電子シート４００に表示される。ただし，表２中のＮｏ．８のように，ジョブを指示するユーザーの意向に基づいて表示されるコメント種もある。
【００６２】
続いて，電子シート４００の表示例をいくつか示す。図５に示す第１の例は，表２中のＮｏ．１のコメント種によるコメントを含む表示例である。すなわち，図５の表示例の電子シート４００では，透明表示部４０２に印刷者情報が表示されている。そして電子ペーパー表示部４０１には，印刷者情報ばかりでなくその他の情報も合わせて表示されている。ここで，表示されている印刷者情報とは，表１中の「指示者」欄の記憶内容のことで
ある。電子ペーパー表示部４０１の表示内容のうち印刷者情報以外の情報とは，表１中の「ファイル名」，「印刷日時」，「当月枚数」，「ＨＤＤ占有量」，「コメント種＋コメントパラメーター」の各欄の情報である。
【００６３】
なお「当月枚数」については，当該値そのものの他に，割り当てられている上限枚数に対する残余枚数をも表示している。「コメント種＋コメントパラメーター」については，コメント種が前述のようにＮｏ．１でコメントパラメーターが「３１」の場合の例が示されている。つまり，全印刷枚数のうち３１枚目まで印刷が済んだところで用紙切れが発生して印刷が中断されたために，３２枚目以降が未印刷となっている旨が表示されているのである。
【００６４】
なお図５では，特許図面様式の制約により，透明表示部４０２の表示についても電子ペーパー表示部４０１の表示と同様に描いたが，実際には，透明表示部４０２と電子ペーパー表示部４０１とでは表示の態様が異なる。前述のことから明らかなように，透明表示部４０２の表示が発光表示であるのに対し，電子ペーパー表示部４０１の表示は発色表示だからである。このことは，続く図６，図７においても同じである。
【００６５】
図６に，電子シート４００の第２の表示例を示す。図６の表示例は，先に示した図５の表示例に対して，「コメント種＋コメントパラメーター」の欄に相当する部分を除き同様の表示内容のものである。図６の表示例における当該表示部分は，コメント種が表２のＮｏ．５でコメントパラメーターが「３２」の場合の例が示されている。この図６の表示例は，図５の表示例の電子シート４００が，その後に表示内容を変更させられた場合の表示例である。すなわち，用紙切れで印刷が中断された後，用紙が補充されると，残っている未印刷の残余部分の印刷が実行される。図５の表示例の電子シート４００が排紙トレイ２９０上にまだあるうちに残余部分の印刷がなされると，電子シート４００の表示内容が図５の表示例のものから図６の表示例のものに変更されるのである。
【００６６】
図７に，電子シート４００の第３の表示例を示す。図７の表示例は，「コメント種＋コメントパラメーター」の欄に相当する部分として，表２のＮｏ．８の場合のものを表示した例である。図７の表示例では，コメントパラメーター，すなわちこの場合は回覧対象メンバー名として３人の名前が表示されている。なお，図７の表示例は，表１中の「印刷日時」，「当月枚数」，「ＨＤＤ占有量」の欄の情報については非表示の設定とした場合のものである。Ｎｏ．８のコメント種では印刷物の閲覧の方法が「回覧」であるが，これに限らず「配布」により閲覧させるコメント種があってもよい。
【００６７】
図５〜図７に示したものの以外のコメント種について簡単に言及する。表２のＮｏ．３，４のコメント種は，不全表示コメントに分類されるものであるが，後に残部が印刷される，ということがないものである。Ｎｏ．７のコメント種は，画像複写装置１のＨＤＤ等に記憶されているファイルの内容を印刷した場合に使用される可能性があるコメント種である。印刷後にそのファイルの内容が改変されると，その印刷物はそのファイルの最新版とは言えなくなる。このような場合にこのコメント種が自動的に選択され，排出後の電子シート４００に追加して表示される。画像複写装置１自身のＨＤＤに限らず，所内ネット等で画像複写装置１に繋がっている機器のＨＤＤのファイルをも対象とするように構成することもできる。Ｎｏ．ｍのコメント種は，印刷ジョブの指示者が自由に内容を決定できるコメント種である。
【００６８】
次に，電子シート４００の表示制御のフローを説明する。図８〜図１０にこの制御のフローチャートを示す。図８は，電子シート４００への初期の書き込み制御のフローチャートである。初期の書き込み制御とは，電子シート４００を排紙トレイ２９０上へ排出する時点での書き込み制御のことである。図９は，排出後の電子シート４００の表示内容の更新制御のフローチャートである。表示内容の更新制御とは，すでに排紙トレイ２９０上へ排出されている電子シート４００について，表示内容をその後の状況に応じて変更する制御のことである。図１０も排出後における電子シート４００の表示制御のフローチャートであるが，図９と異なり，印刷ジョブを指示したユーザーが印刷物を取りに画像複写装置１を訪れた時の処理に係るものである。
【００６９】
まず図８のフローについて説明する。このフローの処理は，画像複写装置１が印刷ジョブを受け付けたときに開始される。画像複写装置１が印刷ジョブを受け付けたときとは，原稿載置トレイ１２４に原稿シートを載置した状態でユーザーが操作・表示パネル１２３により複写開始を指示したときのことである。あるいは，外部機器から印刷ジョブの指令を受信したときのことである。
【００７０】
このフローではまず，受け付けた印刷ジョブに係る印刷処理を開始する（Ｓ１）。この印刷処理自体は通常行われている印刷処理である。印刷ジョブの指示内容に後処理装置２００による後加工処理が含まれている場合には，その後加工処理も，このＳ１で開始される印刷処理に含まれる。そして，開始した印刷ジョブに対し，印刷ジョブを個別に識別するためのジョブＩＤが割り当てられ，そのジョブＩＤがメモリ５０４に記憶される（Ｓ２）。これが，前出の表１の「ジョブＩＤ」の欄の内容である。
【００７１】
続いて，電子シート４００の排紙トレイ２９０への排出タイミングを決定する（Ｓ３）。ここで決定する排出タイミングとは，当該印刷ジョブの１ページ目の印刷物の排出に先立ち電子シート４００を排出するのか，最終ページの印刷物が排出された後に電子シート４００を排出するのかの区別のことである。よって，Ｓ３での決定には，「ジョブ前」，「ジョブ後」，「両方」の３通りがある。「ジョブ前」に決定された場合には，１ページ目の印刷物の排出の前に電子シート４００が排出されることとなる（Ｓ４）。「ジョブ後」に決定された場合には，最終ページの印刷物の排出の後に電子シート４００が排出されることとなる（Ｓ５）。「両方」に決定された場合には，それらの両方のタイミングで電子シート４００が排出されることとなる（Ｓ６）。
【００７２】
通常，このタイミングについては，画像複写装置１に基本設定として上記３通りのうちどれか１つが設定されている。この基本設定については，操作・表示パネル１２３で，画像複写装置１の管理者があらかじめ設定しておくことになる。さらに，個々の印刷ジョブにおける個別設定として上記３通りのうちどれか１つが設定されることもある。個別設定のある印刷ジョブについては，当該個別設定が優先して適用されることとなる。個別設定のない印刷ジョブについては，基本設定が適用されることとなる。つまりＳ３での決定とは，これらの基本設定および個別設定の状況を確認することである。
【００７３】
続くＳ７およびそれ以降の処理は，上記Ｓ３での決定に基づき実際に電子シート４００が排出されるときに行われる。電子シート４００が排出されるときにはまず，排出される電子シート４００の電子シートＩＤの確定が行われる（Ｓ７）。つまり，当該電子シート４００のメモリ４０５の固有の電子シートＩＤが読み出される。読み出した電子シートＩＤは，メモリ５０４に記憶される。これが，表１の「電子シートＩＤ」の欄の内容である。
【００７４】
なお，電子シートＩＤが書き換え可能方式である場合には，画像複写装置１にて新たな電子シートＩＤを発生し，発生した電子シートＩＤを当該電子シート４００のメモリ４０５および表１の「電子シートＩＤ」の欄に書き込むことになる。その場合，仮に電子シート４００に前回の電子シートＩＤが残っていたとしても，この書き込み操作により前回の電子シートＩＤは消去され，新たな電子シートＩＤに上書きされることになる。あるいはこの場合，前回から残っている電子シートＩＤをそのまま読み取って，あたかも書き換え不可方式の場合のように利用することも可能である。
【００７５】
この，電子シートＩＤの読み取りないし書き込みは，第２通信部５０２により行われる。つまり，第１電子シート給紙トレイ２０１または第２電子シート給紙トレイ２０２から取り出された直後の電子シート４００に対して行われる。
【００７６】
これにより画像複写装置１では，ジョブＩＤと電子シートＩＤとの関連付けがなされたことになる（Ｓ８）。表１の「ジョブＩＤ」，「電子シートＩＤ」の欄に横並びになっているＩＤ同士が，互いに関連づけられたジョブＩＤおよび電子シートＩＤである。例えば表１の４行目（「ジョブ１」の行）について言えば，「ジョブ１」というジョブＩＤを持つ印刷ジョブと，「００１」という電子シートＩＤを持つ電子シート４００とが関連づけられていることになる。なお，電子シート４００のメモリ４０５にも，関連づけられたジョブＩＤを書き込むこととしてもよい。
【００７７】
そして，その電子シート４００が排紙トレイ２９０へ排出されると（Ｓ９），排出された電子シート４００への情報の書き込みが行われる（Ｓ１０）。すなわち，直近過去のＳ７にて確定した電子シートＩＤと同一の電子シートＩＤを持つ電子シート４００の存在が第１通信部５０１を介して検知されると，当該電子シート４００の排出が確認されたことになる（Ｓ９）。すると，当該電子シート４００のメモリ４０５に対して，表１の該当する行における「電子シート表示内容」の範囲内の各欄の情報が書き込まれるのである（Ｓ１０）。
【００７８】
これにより，電子シート４００の電子ペーパー表示部４０１に，表１中の「ファイル名」，「印刷日時」，「当月枚数」，「ＨＤＤ占有量」，「コメント種＋コメントパラメーター」の各欄の情報が表示される。この書き込み操作は，当該電子シート４００が排紙トレイ２９０へ排出された直後に第１通信部５０１を介してなされる。
【００７９】
このとき，仮に排紙トレイ２９０上に他の印刷ジョブの電子シート４００が残っていたととしても，当該他の電子シート４００の表示内容には影響しない。排紙トレイ２９０上の各電子シート４００がそれぞれ電子シートＩＤを持っており，しかもそれらの電子シートＩＤを画像複写装置１が把握しているからである。このため，Ｓ１０での書き込み操作は，対象とする電子シート４００の電子シートＩＤを特定してなされるのである。そして電子シート４００のＣＰＵ４０４では，画像複写装置１からの書き込み操作信号に含まれている電子シートＩＤと自己の電子シートＩＤとを比較するのである。そして，両者が一致している場合に限り書き込み操作に従い，一致していない場合には書き込み操作を無視するのである。
【００８０】
なお，前述のように電子シート４００のメモリ４０５にジョブＩＤが書き込まれている場合には，書き込み操作を，電子シートＩＤを特定して行う替わりにジョブＩＤを特定して行ってもよい。また，仮に電子シート４００に前回の表示内容が残っていたとしても，この書き込み操作により前回の表示内容は消去され，新たな表示内容に上書きされることになる。また，Ｓ１０での書き込み操作を，第１通信部５０１を介して行う替わりに，当該電子シート４００が電子シート搬送機構２２２により搬送されている間に第２通信部５０２を介して行ってもよい。すなわち，Ｓ７のときに併せて行ってもよい。つまり，初期の書き込み制御では，排紙トレイ２９０上に排出された直後の電子シート４００に対して書き込みを行ってもよいし，排紙トレイ２９０へ向けて搬送されている途上の電子シート４００に対して書き込みを行ってもよい。以上が図８のフローの説明である。
【００８１】
続いて，図９の表示内容の更新制御のフローについて説明する。表示内容の更新は，次のような場合に実行される。すなわち，排紙トレイ２９０上へ排出され図８のフローにより書き込み制御がなされた電子シート４００，すなわち排出済みの電子シート４００について，当該印刷ジョブを指示したユーザーに回収されるより前に，前述のように表示内容を変更する必要が生じた場合である。図９のフロー自体は，排紙トレイ２９０上に電子シート４００が存在する間常時実行されている。
【００８２】
このフローではまず，電子シート４００の電子ペーパー表示部４０１の表示中のコメント更新項目に変化があったか否かを確認する（Ｓ２１）。具体的には，表１中の「コメント更新」の欄の値が「１」であるジョブについて，「コメント種＋コメントパラメーター」の欄の内容に，前回確認時と比べて変化が生じているか否かを確認する。変化があった場合には（Ｓ２１：Ｙｅｓ），当該電子シート４００の電子ペーパー表示部４０１の表示内容のうちコメントの部分を新たな内容に書き換える（Ｓ２２）。
【００８３】
コメント更新項目の変更がなかった場合には（Ｓ２１：Ｎｏ），ＨＤＤ内ファイルの更新の有無を確認する（Ｓ２３）。確認するのは，表１中の「ＨＤＤ内ファイル」の欄における当該印刷ジョブについての値が「１」であり，かつ，印刷後にそのファイルが更新されているか否かである。Ｓ２３でＹｅｓと確認された場合には，画像複写装置１のＨＤＤに，そのジョブの印刷対象ファイルのより新しい版が存在していることになる。そこでこの場合には，当該電子シート４００の電子ペーパー表示部４０１の表示内容のコメントの部分を更新する（Ｓ２４）。ここでは具体的には，表２中のＮｏ．７の「この印刷物は最新版ではありません」というコメントを追記する。この場合には，それまでの表示内容もそのまま維持される。
【００８４】
ＨＤＤ内ファイルの更新がなかった場合，あるいはＨＤＤ内ファイル自体が存在しなかった場合には（Ｓ２３：Ｎｏ），前回の更新実行から３０分経過したか否かを判定する（Ｓ２５）。なお，排紙トレイ２９０上に排出されてから一度も表示内容の更新がなされていない電子シート４００については，排紙トレイ２９０上への排出時，つまり当該印刷物の印刷完了時を，前回の更新実行時と見なして判定する。
【００８５】
３０分以上経過している場合には（Ｓ２５：Ｙｅｓ），表１中の「当月枚数」と「ＨＤＤ占有量」欄における当該印刷ジョブについての値が，現に当該電子シート４００に表示されている値に対して変化しているか否かを判定する（Ｓ２６）。このような変化は例えば，当該印刷ジョブを指示したユーザーがその後に別の印刷ジョブを指示した場合に起こる。これらの値は同一の指示者の他の印刷ジョブの分をも合わせた値だからである。変化があった場合には（Ｓ２６：Ｙｅｓ），当該電子シート４００の電子ペーパー表示部４０１の表示内容のうち該当部分を更新する（Ｓ２７）。
【００８６】
Ｓ２５とＳ２６とのいずれかでＮｏと判定された場合には，図９に示した処理が終了する。ただし図９のフローは，排紙トレイ２９０上に電子シート４００が存在する限り反復される。このため，表示を更新すべき事項が発生すればその都度更新される。また，Ｓ２２，Ｓ２４，Ｓ２７の各更新処理は，第１通信部５０１を介して，［００７９］での説明と同様に他の電子シート４００に影響することなく行われる。なお，他の電子シート４００についても当然，当該他の電子シート４００自身の表示内容に更新事項が発生すれば，表示が更新される。
【００８７】
次に，電子シート４００の透明表示部４０２の発光表示処理について説明する。図１０にその制御のフローチャートを示す。この図１０の処理も，排紙トレイ２９０上に電子シート４００が存在する間常時実行されている。このフローではまず，ユーザーによるログインがなされたか否かを判定する（Ｓ３１）。ここでいうユーザーとは，排紙トレイ２９０上に排出されまだ回収されていない印刷ジョブを指示したユーザーのことである。
【００８８】
ここで，画像複写装置１におけるユーザーによるログインについて説明する。画像複写装置１では，ユーザーが印刷ジョブを指示するに際し，自己を識別するユーザーＩＤの入力が求められる。ユーザーＩＤは，画像複写装置１を利用しうるユーザーにあらかじめ付与されている。そして画像複写装置１では，各ユーザーのユーザーＩＤと，電子シート４００に表示するための表示名とを関連づけて記憶している。ユーザーが自己のユーザーＩＤを入力して印刷ジョブを指示すると，表１中の「指示者」の欄にはそのユーザーＩＤに関連づけられている表示名が入力されるのである。印刷ジョブの指示時におけるユーザーＩＤの入力は，コピーの場合には操作・表示パネル１２３の操作により行う。外部機器からの印刷指示の場合には，当該外部機器から印刷指示信号とともに自動的に送信されるようになっている。
【００８９】
そして，印刷済みの印刷物を回収するために画像複写装置１の前に来たユーザーは，自己のユーザーＩＤを改めて操作・表示パネル１２３に入力するのである。これにより，画像複写装置１では，ユーザーによるログインがなされたものと判定する。ユーザーによるログインがなされていない場合には（Ｓ３１：Ｎｏ），図１０の処理はそのまま終了する。つまりこの場合，発光表示処理は実行されない。
【００９０】
ユーザーによるログインがなされた場合には（Ｓ３１：Ｙｅｓ），Ｓ３２〜Ｓ３４の処理がなされる。まず，排紙トレイ２９０上に存在する電子シート４００のうち，当該ログイン者の印刷ジョブ以外の印刷ジョブに係るものについて，その透明表示部４０２を表示が消去された状態とする（Ｓ３２）。つまり透明な状態とする。
【００９１】
そして，当該ログイン者の印刷ジョブに係る電子シート４００については，その透明表示部４０２に印刷者情報（表１の「指示者」）を表示する（Ｓ３３）。前述のようにこの表示は発光表示である。これによりログインしたユーザーは，自己の指示に係る印刷物が排紙トレイ２９０上のどこにあるかを明瞭に認識できる。その際，自己の印刷ジョブの電子シート４００より上に他の電子シート４００が重なっていたとしてもあまり障害にならない。透明表示部４０２の表示が発光表示であり目立ちやすいからである。また，他の電子シート４００の透明表示部４０２は，Ｓ３２により透明化されているからである。なお，排紙トレイ２９０上に当該ログイン者の印刷ジョブに係る電子シート４００が複数枚存在する場合には，それらすべての電子シート４００の透明表示部４０２が発光することになる。
【００９２】
さらに，排紙トレイ２９０上の，他のユーザーの印刷ジョブに係る電子シート４００のうち，当該ログイン者の印刷ジョブの電子シート４００に隣接しているものについて，その透明表示部４０２に別色表示を行わせる（Ｓ３４）。つまり，Ｓ３２で表示される印刷者情報が赤色光による表示であるとすれば，それとは別の色，例えば緑色による表示を行わせるのである。これにより，当該ログイン者の印刷ジョブの電子シート４００がさらに目立つことになる。なお，このＳ３４の表示は，必ずしもその電子シート４００の印刷者情報でなくてもよい。例えばベタパターンでもよいし，何らかの定型的なパターンの表示でもよい。また，透明表示部４０２が発光表示の他に単なる発色表示も可能なものである場合，Ｓ３４による表示は発光を伴わない発色表示にとどめてもよい。
【００９３】
むろん，上記のＳ３２〜Ｓ３４の処理も，第１通信部５０１を介して，排紙トレイ２９０上の電子シート４００を個別に識別して行われる。すなわち，Ｓ３２においては，［００７９］での説明とは逆に，電子シート４００のＣＰＵ４０４では，画像複写装置１からの操作信号に含まれている電子シートＩＤと自己の電子シートＩＤとが一致している場合には消去操作を無視し，一致していない場合に限り消去操作に従う。Ｓ３３においては，［００７９］と同様に両電子シートＩＤが一致している場合に限り処理が実行される。
【００９４】
Ｓ３４もＳ３３とほぼ同様である。ただしＳ３４では，ログイン者の電子シート４００に，排紙トレイ２９０上での重なり順序上で隣接する電子シート４００の電子シートＩＤを表示操作の対象とする。そのため，画像複写装置１では，過去に排紙トレイ２９０に排出した電子シート４００（すでに回収されたものは除く）の電子シートＩＤとその排出順序を記憶している。そして，その排出順序で隣接する電子シートＩＤを，操作対象として特定して表示操作を行う。
【００９５】
また，［００８８］で説明したコピー指示時のユーザーＩＤの入力，および［００８９］で説明したユーザーによるログインについては，操作・表示パネル１２３での入力以外の方法もありうる。例えば，ユーザーが所持する携帯通信端末や非接触通信式ＩＣカード（交通機関の非接触自動改札方式の乗車券などに用いられているもの）などとの通信によりユーザーＩＤを自動的に取得するようにしてもよい。その場合には，携帯通信端末を所持するユーザーが画像複写装置１に接近したり，あるいは非接触通信式ＩＣカードを画像複写装置１における所定の箇所にかざしたりすることによりログインがなされることになる。その場合には操作・表示パネル１２３の替わりに，適宜設けられた通信手段がログイン受け付け部として機能することになる。
【００９６】
なお，公衆回線経由で画像複写装置１に入力された印刷ジョブの場合には，指示時にユーザーＩＤが入力されることがない。このような印刷ジョブの電子シート４００については，Ｓ３３の発光表示の対象外とすることとなる。あるいは，そのような電子シート４００を，ログインしたユーザーが誰であるかに拘わらず必ずＳ３３で発光表示させるようにしてもよい。また，ユーザーによるコピー指示時に，上記の公衆回線経由の印刷ジョブと同様の扱いにすることを条件に，ユーザーＩＤの入力を省略することを許容するようにしてもよい。以上が図１０のフローの処理の内容である。
【００９７】
なお，図８〜図１０中のＳ７，Ｓ１０，Ｓ２２，Ｓ２４，Ｓ２６，Ｓ３２〜Ｓ３４において電子シート４００内で必要な電力は，シート電池４０９から供給される。
【００９８】
上記のように構成された本形態の画像複写装置１では，ユーザーが画像複写装置１に自己のユーザーＩＤを入力して印刷ジョブを指示すると，前述の図８のフローが実行される。これにより，印刷の実行が開始される（Ｓ１）とともに，表１に，指示された印刷ジョブに係る行が作成される（Ｓ２）。そして，Ｓ３〜Ｓ６で確定されたタイミングに，電子シート４００の排出が行われる（Ｓ９）。その電子シート４００の電子ペーパー表示部４０１には，Ｓ１０で情報が書き込まれる。このようにして情報が書き込まれた電子ペーパー部４０１の例が，前述の図５や図７である。
【００９９】
このようにして電子シート４００に情報が書き込まれて排紙トレイ２９０に排出され，そして当該印刷ジョブの印刷が終了しても，表１中に作成されたその印刷ジョブの行は，まだ削除されない。印刷ジョブの印刷が終了しても，その電子シート４００が排紙トレイ２９０上にある限りは，前述の図９のフローによる電子ペーパー表示部４０１の表示更新がなされる可能性があるからである。そのため，排紙トレイ２９０上にある電子シート４００は常時，図９のフローによる監視下にある。そして表示更新の必要が生じると，Ｓ２２，Ｓ２４，Ｓ２７のいずれかによる表示更新がなされる。
【０１００】
図５の表示例から図６の表示例への変化が，表示更新の一例である。図５から図６への表示更新については［００６５］でも言及したが，もう少し詳しく説明する。ここで，図８中のＳ３（タイミング決定）については，Ｓ５の「ジョブ後」が選択される設定になっているものとする。
【０１０１】
図５の表示例は，前述のようにジョブの途中で用紙切れにより印刷が中断された場合の表示例である。すなわちこの印刷ジョブの場合，指示受付の時点では表１中の「コメント種＋コメントパラメーター」の欄は空欄だったのである。しかしながら，３１枚目まで印刷が済んだところで用紙切れとなったために，当該欄に表２のＮｏ．１のコメント種と，コメントパラメーター「３１」とが追加されたのである。その状態で図８のＳ１０が行われた結果が図５の表示例なのである。
【０１０２】
そして，中断された当該印刷ジョブについては，表１上は印刷が終了したものとして扱われて，その電子シート４００は，図９による更新のための監視下に置かれる。一方，未印刷の３２枚目以降の分については，新たな印刷ジョブ（以下，これを残部ジョブという）として扱われる。すなわち，表１中にはそのための新たな行が登載される。そして，画像複写装置１に印刷用紙が補充されて再び印刷可能な状態になると，当該残部ジョブの印刷が実行される。このときに元の印刷ジョブについて，「コメント種＋コメントパラメーター」の欄のコメント種がＮｏ．５に変更されることとなる。そうすると，図９のＳ２１でＹｅｓと判定され，Ｓ２２で表示更新が実行されて図６の表示例となるのである。
【０１０３】
ここで図６の表示例のコメント欄には，当該残部ジョブの出力場所をも表示されるようにするとなおよい。出力場所とは，排紙トレイ２９０ａ，２９０ｂ，２９０ｃの区別のことである。また，画像複写装置１が所内ネット等により他の画像形成装置と繋がっている場合には，繋がっている他の画像形成装置で残部ジョブが実行されることもありうる。その場合には当該他の画像形成装置を特定する情報も，出力場所として表示されるとよい。
【０１０４】
なお，この場合における残部ジョブについては，その電子シート４００のコメント欄には，次のような，元の印刷ジョブの印刷物との関係を示すコメントが表示されることが望ましい。
「コメント：この印刷物は印刷日時ｘｘｘｘ／ｘｘ／ｘｘに印刷された３１枚の印刷物の後続部分です。                                                                」  そのためには，表２中にそのようなコメント種を設けておくとよい。そして，表１に残部ジョブが登載されるときには，その「コメント種＋コメントパラメーター」の欄に，当該コメント種の番号と必要なコメントパラメーターが自動的に記入されるようにしておけばよい。
【０１０５】
なお，上の事例について，図８中のＳ３（タイミング決定）の設定が，Ｓ４の「ジョブ前」である場合には次のようになる。すなわち，当該元の印刷ジョブの開始前に排出される電子シート４００の表示は，図５の表示例からコメント部分を除去したものとなる。それが，中断の発生により，表示更新によりコメント部分が追加されて図５のような表示例となるのである。その後，残部ジョブの実行によりさらに表示が更新され図６の表示例となることは前述の説明と同じである。
【０１０６】
当該印刷ジョブを指示したユーザーがログインすると，図１０の発光表示処理により，当該ユーザーの印刷物の電子シート４００の透明表示部４０２が発光表示状態となる（Ｓ３３）。また，その前後の電子シート４００の透明表示部４０２が異なる色とされる（Ｓ３４）。このためログイン者は容易に自己の印刷物を他の印刷物から識別して回収することができる。
【０１０７】
その際ログイン者は，自己の印刷物ばかりでなく，それとともに排出された電子シート４００をも回収する。すると，画像複写装置１としては，回収された電子シート４００の電子シートＩＤを第１通信部５０１により検知することができなくなる。これにより画像複写装置１は，当該電子シート４００が回収されたことを認識できる。このときに表１から，回収された電子シート４００の電子シートＩＤに対応する印刷ジョブの行が削除される。このため，回収された電子シート４００について，それ以上図９のフローの監視対象とし続ける必要はない。
【０１０８】
印刷物と電子シート４００とを回収したログイン者は，そのうちの電子シート４００については原則として，画像複写装置１の第１電子シート給紙トレイ２０１または第２電子シート給紙トレイ２０２に返却することになる。返却された電子シート４００について画像複写装置１では，第３通信部５０８を通じてその電子シートＩＤを確認することができる。また，この時点で電子ペーパー表示部４０１の表示を消去してしまってもよい。さらに，非接触電力伝送部５０３を介して，返却された電子シート４００のシート電池４０９を充電する。なお，シート電池４０９の充電は，電子シート４００が排紙トレイ２９０上にあるときにも適宜行われる。
【０１０９】
なお，電子シート４００の排紙トレイ２９０への排出の時点でのコメント欄の内容として，次のようなことを，コメント種に関わらず追加してもよい。
・回収後に電子シート４００を返却すべきであること。
・返却先が第１電子シート給紙トレイ２０１と第２電子シート給紙トレイ２０２とのいずれであるかの区別。
さらに，第１電子シート給紙トレイ２０１や第２電子シート給紙トレイ２０２に何らかの発光表示デバイスを設けて，回収先トレイをログイン者に示すようにするとなおよい。
【０１１０】
電子ペーパー表示部４０１の表示例についてさらに説明する。表２中のＮｏ．６のコメント種は，印刷済みの印刷物が回収されないまま排紙トレイ２９０上に長時間放置されることを抑制するためのものである。このコメント種が「コメント種＋コメントパラメーター」欄に指定されている印刷ジョブの電子シート４００では，コメント中の「□時間」の部分の「□」に代入される数字が，放置時間の経過とともに大きくなっていく。これにより，当該ジョブの指示者以外のユーザーに対しても訴求性を持つことになる。このため，そのコメントと印刷者名を見た者からの注意喚起により，当該ジョブの指示者に印刷物の回収が促されることが期待できる。
【０１１１】
なお，このコメント種については，特に除外する設定操作がなされない限り，自動的に各印刷ジョブの「コメント種＋コメントパラメーター」欄に追加されるようにしておいてもよい。また，電子シートに表示される放置時間の値は，正確なものでなくてもよい。「３０分以上」とか「３時間以上」などの大雑把な区切りによる値であっても，放置時間の長短がある程度指標されていればよい。
【０１１２】
また，単に放置時間の値を表示するのみならず，コメントの表示態様自体を，より目立たない態様からより目立つ態様に替えていくようにしてもよい。例えば，放置時間があらかじめ定めた閾値時間を超えたら，当該コメントの文字サイズを大きくする，文字色を黒から赤や青に変える，などである。ここで，より目立たない表示態様は，表示しない，というものであってもよい。すなわち，このコメント種は，印刷ジョブの終了直後には電子シート４００に表示されず，放置時間があらかじめ定めた閾値時間を超えると表示される，というものであってもよい。
【０１１３】
表２中のＮｏ．８のコメント種（図７）を使用した場合には，その電子シート４００を回覧対象メンバーへの回覧票として使用することができる。電子ペーパー表示部４０１の表示がそのまま維持されるからである。このため，［０１０９］で言及した電子シート４００の返却についての文言を付す場合，返却は回覧終了後でよい旨を付記するとよい。回覧以外に印刷物の配布に関するコメント種を表２に設ける場合，そのコメント種についても同様である。
【０１１４】
以上詳細に説明したように本形態の画像複写装置１では，印刷ジョブに係る印刷物とともに，電子シート４００を排紙トレイ２９０上に排出することとしている。そして，その電子シート４００の電子ペーパー表示部４０１に，印刷者情報その他の情報を固定的に表示することとしている。これにより，当該印刷ジョブの印刷物と他の印刷ジョブの印刷物とが排紙トレイ２９０上に重なっても区別しやすいようにしている。さらに，電子ペーパー表示部４０１の表示内容として，印刷の中断に関する情報やその再開に関する情報など，電子シート４００が排紙トレイ２９０上に排出された後の事象に関する事項も含められるようにしている。また，印刷物の閲覧方法に関する事項も表示できるようにしている。その際，排紙トレイ２９０上の他の電子シート４００とは区別して個々に表示が制御されるようにしている。これにより，ユーザーにとって分かりやすく便利な表示が実現されている。
【０１１５】
なお，本実施の形態は単なる例示にすぎず，本発明を何ら限定するものではない。したがって本発明は当然に，その要旨を逸脱しない範囲内で種々の改良，変形が可能である。このため本発明については，本実施の形態の説明中に記載した変形例はもちろん，それ以外にも種々の変形が可能である。例えば，本実施の形態ではプリンター部１４０で印刷した印刷物の排出箇所に本発明を適用したが，画像読取部１２０での画像の読み取りに供された原稿シートの排出箇所に本発明を適用することも可能である。また，画像読取部１２０のない，プリンター部１４０と後処理装置２００だけの装置にも本発明を適用可能である。また，後処理装置２００におけるパンチユニット２４０，ステープルユニット２６０，紙折り処理部２７０，断裁ユニット２８０は，本発明の適用上は必須な訳ではない。また，後処理装置２００は本体装置１００と一体のものであってもよい。
【符号の説明】
【０１１６】
１２０  画像読取部（シート取扱い部）
１２３  操作・表示パネル
１４０  プリンター部（シート取扱い部）
２０１  第１電子シート給紙トレイ
２０２  第２電子シート給紙トレイ
２２２  電子シート搬送機構
２９０  排紙トレイ（２９０ａ，ｂ，ｃ）
４００  電子シート
４０１  電子ペーパー表示部
４０２  透明表示部
５０１  第１通信部（電子シート表示操作部，排出時および排出後）
５０２  第２通信部（電子シート表示操作部，排出時）
５０４  メモリ（識別情報記憶部，コメント作成テーブル部）
５０６  表示情報制御部
【図１】
2013245052.tif 000005
【図２】
2013245052.tif 000006
【図３】
2013245052.tif 000007
【図４】
2013245052.tif 000008
【図５】
2013245052.tif 000009
【図６】
2013245052.tif 000010
【図７】
2013245052.tif 000011
【図８】
2013245052.tif 000012
【図９】
2013245052.tif 000013
【図１０】
2013245052.tif 000014